(57)【要約】【課題】薬液を投与する準備動作時に、押し子部材と押し子操作部の連結作業を確実に実施することができる薬液投与装置を提供する。【解決手段】薬液投与装置１は、薬液が充填された薬液貯蔵部１３と、押し子部材１８と、押し子操作部２２と、駆動部１５と、連結検出センサ２１と、制御部と、を備えている。連結検出センサ２１は、押し子部材１８と押し子操作部２２の連結を検出する。制御部は、連結検出センサ２１が検出した検出信号に基づいて押し子部材１８と押し子操作部２２が連結したか否かを判断する。【選択図】図１
2020130222.tif 000002
【特許請求の範囲】
【請求項１】
薬液が充填された薬液貯蔵部と、
前記薬液貯蔵部に充填された前記薬液を押し出す押し子部材と、
前記押し子部材に連結し、前記押し子部材の移動を操作する押し子操作部と、
前記押し子操作部に駆動力を与える駆動部と、
前記押し子部材と前記押し子操作部の連結を検出する連結検出センサと、
前記駆動部の駆動を制御し、前記連結検出センサが検出した検出信号に基づいて前記押し子部材と前記押し子操作部が連結したか否かを判断する制御部と、
を備えた薬液投与装置。
【請求項２】
前記制御部は、前記薬液の投与の準備動作において、前記押し子部材と前記押し子操作部が連結したと判断するまで、前記駆動部の駆動を継続させる
請求項１に記載の薬液投与装置。
【請求項３】
前記制御部は、前記準備動作において、前記準備動作を停止させる指示を受信した際に、前記押し子部材と前記押し子操作部が連結していないと判断した場合、前記準備動作が未完了である旨を通知する
請求項２に記載の薬液投与装置。
【請求項４】
前記連結検出センサは、前記駆動部の回転を検出する回転検出部である
請求項１に記載の薬液投与装置。
【請求項５】
前記押し子操作部は、
前記駆動部により回転し、軸方向が前記押し子部材の移動方向と平行に配置される送りねじ軸と、
前記送りねじ軸に螺合され、前記押し子部材に連結する連結ナットと、を有する
請求項１に記載の薬液投与装置。
【発明の詳細な説明】
【技術分野】
【０００１】
本発明は、薬液投与装置に関し、例えばインスリンポンプのように持続的な薬液投与を行うための薬液投与装置に関する。
【背景技術】
【０００２】
近年、皮下注射や静脈内注射などによって、患者の体内に薬液を持続的に投与する治療法が行われている。例えば、糖尿病患者に対する治療法として、患者の体内に微量のインスリンを持続的に注入する治療が実施されている。この治療法では、一日中患者に薬液（インスリン）を投与するために、患者の身体又は衣服に固定する持ち運び可能な携帯型の薬液投与装置（いわゆるインスリンポンプ）が用いられている。このような携帯型の薬液投与装置の一つとして、薬液が貯蔵されるシリンジと、シリンジの内部で駆動される押し子とを有するシリンジポンプ形式のものが提案されている。
【０００３】
また、特許文献１には、薬液が充填された薬液貯蔵部と、この薬液貯蔵部に充填された薬液を押し出す押し子部材と、押し子部材の移動を操作する押し子操作部と、押し子操作部に駆動力を与える駆動部と、を備えた薬液投与装置が記載されている。また、薬液貯蔵部に薬液を充填する際には、押し子部材と押し子操作部の連結は、外されている。そして、薬液を投与する準備動作において押し子部材と押し子操作部は、連結される。さらに、薬液を投与する準備動作では、薬液貯蔵部や薬液が通過する配管に残留する気泡を除去する作業が行われる
【先行技術文献】
【特許文献】
【０００４】
【特許文献１】特開２０１８−５１０６４号公報
【発明の概要】
【発明が解決しようとする課題】
【０００５】
しかしながら、気泡の除去作業を手動で行った場合、配管に薬液が満たされたことで、押し子部材と押し子操作部が連結されていなくても、準備動作が完了したと誤認識されるおそれがあった。そして、押し子部材と押し子操作部が連結されていない状態で、薬液の投与動作を行うと、正確な量の薬液を投与することができない、という問題を有していた。
【０００６】
本発明の目的は、上記の問題点を考慮し、薬液を投与する準備動作時に、押し子部材と押し子操作部の連結作業を確実に実施することができる薬液投与装置を提供することを目的とする。
【課題を解決するための手段】
【０００７】
上記課題を解決し、本発明の目的を達成するため、本発明の薬液投与装置は、薬液が充填された薬液貯蔵部と、押し子部材と、押し子操作部と、駆動部と、連結検出センサと、制御部と、を備えている。
押し子部材は、薬液貯蔵部に充填された薬液を押し出す。押し子操作部は、押し子部材に連結し、押し子部材の移動を操作する。駆動部は、押し子操作部に駆動力を与える。連結検出センサは、押し子部材と押し子操作部の連結を検出する。制御部は、駆動部の駆動を制御する。また、制御部は、連結検出センサが検出した検出信号に基づいて押し子部材と押し子操作部が連結したか否かを判断する。
【発明の効果】
【０００８】
本発明の薬液投与装置によれば、薬液を投与する準備動作時、押し子部材と押し子操作部の連結作業を確実に実施することができる。
【図面の簡単な説明】
【０００９】
【図１】実施の形態例にかかる薬液投与装置を示す分解斜視図である。
【図２】実施の形態例にかかる薬液投与装置を示す平面図である。
【図３】実施の形態例にかかる薬液投与装置における回転検出部を示す斜視図である。
【図４】実施の形態例にかかる薬液投与装置の制御系を示すブロック図である。
【図５】実施の形態例にかかる薬液投与装置における駆動モータの駆動速度及びトルクと負荷との関係を示す説明図である。
【図６】実施の形態例にかかる薬液投与装置における連結ナットと連結部の状態を示すもので、図６Ａは薬液投与準備時の状態を示し、図６Ｂは薬液投与準備が完了した状態を示している。
【図７】実施の形態例にかかる薬液投与装置における駆動モータに加わる負荷を示す説明図である。
【図８】実施の形態例にかかる薬液投与装置における薬液投与準備動作を示すフローチャートである。
【図９】実施の形態例にかかる薬液投与装置における薬液投与準備動作での駆動モータの駆動信号と回転検出部が検出した回転信号との関係を示す説明図である。
【発明を実施するための形態】
【００１０】
以下、本発明の薬液投与装置の実施の形態例について、図１〜図９を参照して説明する。なお、各図において共通の部材には、同一の符号を付している。また、本発明は、以下の形態に限定されるものではない。
【００１１】
１．実施の形態例
１−１．薬液投与装置の構成
まず、図１〜図３を参照して、実施の形態例（以下、「本例」という。）にかかる薬液投与装置の構成例について説明する。
図１は、薬液投与装置を示す分解斜視図、図２は、薬液投与装置を示す平面図である。
【００１２】
図１に示す装置は、パッチ式や、チューブ式のインスリンポンプ、さらにその他の携帯型の薬液投与装置のように、患者の体内に持続的に薬液投与を行うための携帯型のインスリンポンプである。薬液投与装置１は、薬液投与部２と、薬液投与部２が着脱可能に装着されるクレードル装置３と、クレードル装置３に装着される接続ポート６とを有している。
【００１３】
クレードル装置３には、接続ポート６が装着される装着部５が設けられている。接続ポート６は、カニューレ６ａを有している。クレードル装置３を患者の皮膚に貼着し、不図示の穿刺機構を用いることにより、接続ポート６は装着部５に装着される。接続ポート６をクレードル装置３の装着部５に装着した際に、クレードル装置３における薬液投与部２が装着される側と反対側からカニューレ６ａが突出し、カニューレ６ａが生体に穿刺・留置される。
【００１４】
また、接続ポート６は、クレードル装置３に装着された状態において、薬液投与部２が装着されると、後述する薬液投与部２の筐体１１の裏面収納部に収納される。そして、接続ポート６は、後述する薬液投与部２の送液配管１９に接続される。
【００１５】
薬液投与部２は、筐体１１と、蓋体１２と、薬液貯蔵部１３と、伝達機構１４と、駆動部の一例を示す駆動モータ１５と、報知部１６と、電源部１７とを有している。また、薬液投与部２は、薬液貯蔵部１３に充填された薬液を押し出す押し子部材１８と、送液配管１９と、回転検出部２１と、押し子部材１８を操作する押し子操作部２２と、を有している。
【００１６】
筐体１１は、一面が開口した中空の略直方体状に形成されている。筐体１１には、第１収納部１１ａと、第２収納部１１ｂが形成されている。第１収納部１１ａには、駆動モータ１５と、電源部１７と、回転検出部２１と、伝達機構１４の一部が収納される。
【００１７】
第２収納部１１ｂには、薬液貯蔵部１３と、押し子部材１８と、押し子操作部２２と、伝達機構１４の一部が収納される。また、第２収納部１１ｂには、第１軸受け部１１ｃと、第２軸受け部１１ｄが設けられている。第１軸受け部１１ｃと第２軸受け部１１ｄは、第２収納部１１ｂの底面部から開口に向けて突出している。第１軸受け部１１ｃには、後述する押し子操作部２２の送りねじ軸２２ｂが回転可能に支持される。また、第２軸受け部１１ｄには、後述する押し子操作部２２における操作歯車２３の軸部２３ａが回転可能に支持される。
【００１８】
蓋体１２は、略平板状に形成されている。蓋体１２は、筐体１１に形成された第１収納部１１ａ及び第２収納部１１ｂを覆い、筐体１１の開口を閉じる。また、蓋体１２には、伝達機構１４、駆動モータ１５、報知部１６、電源部１７及び回転検出部２１が取り付けられる。
【００１９】
薬液貯蔵部１３は、軸方向の一端が閉塞し、軸方向の他端が開口した筒状に形成されている。この薬液貯蔵部１３の筒孔１３ｃ内には、薬液が貯蔵される。薬液貯蔵部１３の軸方向の一端部には、送液ポート１３ａと、充填ポート１３ｂが形成されている。
【００２０】
送液ポート１３ａは、送液配管１９に接続されている。送液配管１９における送液ポート１３ａと反対側の端部は、接続ポート６に接続される。接続ポート６のカニューレ６ａは、患者の生体に穿刺及び留置される。そして、薬液貯蔵部１３の筒孔１３ｃ内に貯蔵された薬液は、送液ポート１３ａから排出され、送液配管１９及び接続ポート６を通過して患者に投与される。
【００２１】
充填ポート１３ｂには、不図示の充填装置が接続される。そして、充填ポート１３ｂを介して薬液貯蔵部１３の筒孔１３ｃ内に薬液が充填される。
【００２２】
また、薬液貯蔵部１３の筒孔１３ｃ内には、押し子部材１８が摺動可能に挿入されている。押し子部材１８は、ガスケット１８ａと、シャフト部１８ｂとを有している。ガスケット１８ａは、薬液貯蔵部１３の筒孔１３ｃ内において摺動可能に配置されている。ガスケット１８ａは、薬液貯蔵部１３の筒孔１３ｃの内周面に液密に密着しながら移動する。
【００２３】
ガスケット１８ａにおける先端部の形状は、薬液貯蔵部１３の筒孔１３ｃの軸方向の一端側の形状に対応して形成されている。これにより、ガスケット１８ａが薬液貯蔵部１３の軸方向の一端側に移動した際に、薬液貯蔵部１３内に充填された薬液を無駄なく送液ポート１３ａから排出させることができる。
【００２４】
ガスケット１８ａにおける先端部と反対側には、シャフト部１８ｂが設けられている。シャフト部１８ｂは、薬液貯蔵部１３の軸方向の他端に形成された開口から外側に延設されている。シャフト部１８ｂにおけるガスケット１８ａと反対側の端部には、後述する押し子操作部２２の連結ナット２２ｃと連結する連結部１８ｃが設けられている。連結部１８ｃが連結ナット２２ｃと連結されて押し子操作部２２が駆動すると、押し子部材１８は、薬液貯蔵部１３の軸方向に沿って移動する。
【００２５】
押し子操作部２２は、操作歯車２３と、送りねじ軸２２ｂと、連結ナット２２ｃとを有している。操作歯車２３は、後述する伝達機構１４の歯車と歯合する。また、操作歯車２３の軸部２３ａの一端には、送りねじ軸２２ｂの軸方向の端部に接続されている。さらに、操作歯車２３の軸部２３ａの他端は、第２軸受け部１１ｄに回転可能に支持されている。
【００２６】
送りねじ軸２２ｂは、第１軸受け部１１ｃに回転可能に支持されている。また、送りねじ軸２２ｂは、その軸方向が、シャフト部１８ｂに対して平行に配置される。すなわち、送りねじ軸２２ｂは、押し子部材１８の移動方向と平行に配置される。この送りねじ軸２２ｂには、連結ナット２２ｃが螺合されている。
【００２７】
連結ナット２２ｃは、筐体１１に収納された際に、送りねじ軸２２ｂの周方向回りの回転が規制される。これにより、操作歯車２３が回転し、送りねじ軸２２ｂが回転すると、連結ナット２２ｃは、送りねじ軸２２ｂの軸方向に沿って移動する。そして、連結ナット２２ｃに押し子部材１８の連結部１８ｃが係合された後には、送りねじ軸２２ｂの回転にともなって押し子部材１８は、連結ナット２２ｃと共に送りねじ軸２２ｂの軸方向に沿って移動する。また、押し子操作部２２には、伝達機構１４を介して駆動モータ１５の駆動力が伝達される。
【００２８】
駆動モータ１５としては、例えば、ステッピングモータが適用される。そして、駆動モータ１５は、後述する演算部１０１（制御部）からの駆動信号に基づいて回転駆動する。
【００２９】
駆動モータ１５は、筐体１１の開口を蓋体１２で閉塞した状態において、筐体１１に収納された電源部１７の電極に接続されて電力が供給される。駆動モータ１５の駆動軸１５ａには、駆動軸１５ａの回転を検出する回転検出部２１が設けられている。
【００３０】
図３は、回転検出部２１を示す斜視図である。
図３に示すように、連結検出センサの一例を示す回転検出部２１は、検出センサ２５と、回転体２６とを有するロータリーエンコーダである。回転体２６は、駆動モータ１５の駆動軸１５ａに固定された回転体本体部２６ａと、回転体本体部２６ａに設けられた３枚の遮蔽板２６ｂと、回転体本体部２６ａに設けられた軸部２６ｄとを有している。
【００３１】
回転体本体部２６ａは、略円柱状に形成されている。そして、回転体本体部２６ａは、駆動軸１５ａの回転に同期して回転する。回転体本体部２６ａの軸方向における駆動軸１５ａとは反対側には軸部２６ｄが突出している。軸部２６ｄには、不図示の歯車が設けられており、伝達機構１４の歯車と歯合する。
【００３２】
また、回転体本体部２６ａの外周面には、等角度間隔に３枚の遮蔽板２６ｂが設けられている。そのため、回転体本体部２６ａの周縁には、３つの遮蔽板２６ｂにより、３つのスリット２６ｃが等角度間隔に形成されている。
【００３３】
検出センサ２５は、蓋体１２に配置されている。光を出射する発光部２５ａと、発光部２５ａから出射された光を受光する受光部２５ｂとを有する光学式センサである。発光部２５ａから出射された光は、回転体２６の遮蔽板２６ｂにより遮られ、または回転体２６のスリット２６ｃを通過する。
【００３４】
上述したように、回転体２６には、３つの遮蔽板２６ｂと、３つのスリット２６ｃが形成されている。そのため、駆動モータ１５の駆動軸１５ａが１回転、すなわち回転体２６が１回転すると、検出センサ２５の受光部２５ｂは、遮蔽板２６ｂにより光が遮られた「暗」と、スリット２６ｃを通過した光を検出する「明」の１セットが３回繰り返されたパルス信号を検出する（図９参照）。これにより、検出センサ２５は、駆動モータ１５の回転を検出する。
【００３５】
なお、遮蔽板２６ｂの数は、３つに限定されるものではなく、２つ、あるいは４つ以上設けてもよい。そのため、回転体２６が１回転した際に生じるパルス信号は、遮蔽板２６ｂ及びスリット２６ｃの数に応じて適宜変化する。
【００３６】
また、検出センサ２５は、検出した駆動モータ１５の回転情報を後述する演算部１０１（制御部）に出力する。
【００３７】
図１及び図２に示すように、駆動モータ１５の駆動軸１５ａには、回転検出部２１を介して伝達機構１４が接続されている。伝達機構１４は、駆動モータ１５の駆動力（回転）を押し子操作部２２に伝達するものである。伝達機構１４は、複数の歯車から構成されている。駆動モータ１５が駆動すると、伝達機構１４を構成する複数の歯車が回転し、駆動モータ１５の駆動力が操作歯車２３に伝達される。そのため、押し子部材１８が操作されて、薬液貯蔵部１３に貯蔵された薬液がガスケット１８ａにより押し出される。
【００３８】
報知部１６は、後述する演算部１０１に接続されている。報知部１６は、薬液投与装置１に誤作動が生じた場合や、閉塞を検知した場合等に後述する演算部１０１（制御部）からの指示により駆動し、警報を出力する。この報知部１６が出力する警報としては、例えば振動や音などを単独で発してもよく、または振動や音などを併用して発するようにしてもよい。
【００３９】
電源部１７は、薬液投与装置１を構成する各構成要素に電力を供給するためのものである。電源部１７としては、例えば電池１７ａ及びこれを収納する電池ボックス、さらには電池からの電力の供給をオン／オフするスイッチ等で構成されている。
【００４０】
１−２．薬液投与装置の制御系
次に、図４を参照して薬液投与装置１の制御系について説明する。
図４は、薬液投与装置１の制御系を示すブロック図である。
【００４１】
図４に示すように、薬液投与装置１は、上述した駆動モータ１５と、回転検出部２１と、報知部１６と、電源部１７とを有している。また、薬液投与装置１は、制御部の一例を示す演算部１０１と、通信部１０３と、記憶部１０４と、日時管理部１０５とを有している。
【００４２】
駆動モータ１５と、回転検出部２１と、報知部１６と、電源部１７と、通信部１０３と、記憶部１０４と、日時管理部１０５は、演算部１０１に接続されている。
【００４３】
回転検出部２１の検出センサ２５（図３参照）で検出した駆動モータ１５の回転情報は、演算部１０１に出力される。演算部１０１は、回転検出部２１が検出した駆動モータ１５の回転情報に基づいて、連結ナット２２ｃと、連結部１８ｃが連結したか否かを判断する。また、駆動モータ１５の駆動は、演算部１０１により制御される。
【００４４】
通信部１０３は、薬液投与装置１を操作する不図示のコントローラや、外部の携帯情報処理端末や、ＰＣ（パーソナルコンピュータ）と有線又は無線のネットワークを介して接続されている。通信部１０３は、不図示のコントローラや携帯情報処理端末等を介して使用者が操作した操作情報や、外部の装置が計測した計測データを受信する。そして、通信部１０３は、受信した操作情報や計測データを演算部１０１に出力する。
【００４５】
また、通信部１０３は、演算部１０１により制御されることで、閉塞情報、薬液貯蔵部１３に貯蔵された薬液の量に関する情報や、投与パターン等の薬液投与装置１に関する各種情報を不図示のコントローラや携帯情報処理端末等に出力する。
【００４６】
記憶部１０４は、各種のデータを記憶する部分である。記憶部１０４には、薬液を投与するための投与パターンを示す投与プロファイル等を制御するための制御プログラム、閉塞検出に薬液投与準備動作で用いられる閾値データ等が記憶されている。さらに、記憶部１０４には、通信部１０３が受信した情報や、回転検出部２１が検出した駆動モータ１５の回転情報等が格納される。そして、記憶部１０４は、予め記憶されている制御プログラムや、他の処理部から受信した回転情報等を演算部１０１に出力する。
【００４７】
日時管理部１０５は、日時管理を行うためのプログラム部分であり、一般的なマイコンに搭載されているものであって良く、演算部１０１からの指令に基づいて日時情報を出力する。この日時管理部１０５は、電源がオフの状態であっても電力が供給されることにより、正確な日時情報を出力する。
【００４８】
演算部１０１には、駆動モータ１５、通信部１０３、記憶部１０４、日時管理部１０５等の各種装置を制御するプログラムが実装されている。そして、演算部１０１は、そのプログラムに基づいて薬液投与装置１の各種動作を制御する。また、演算部１０１は、回転検出部２１が検出した駆動モータ１５の回転情報等を受信する。演算部１０１は、受信した情報を記憶部１０４に格納する。
【００４９】
また、演算部１０１は、受信した回転情報に基づいて、駆動モータ１５に加わる負荷を検知する。演算部１０１は、回転情報に基づいて駆動モータ１５を駆動させる駆動信号を設定する。そして、演算部１０１は、設定した駆動信号に基づいて駆動モータ１５を駆動させる。
【００５０】
さらに、演算部１０１は、記憶部１０４に記憶された薬液の投与パターンを示す投与プロファイルに基づいて、駆動モータ１５を駆動させる。これにより、使用者には、所定の投与プロファイルに基づいた薬液が投与される。演算部１０１は、例えばここでの図示を省略したＣＰＵ（Central Processing Unit）、ＲＡＭ（Random Access Memory）、ＲＯＭ（Read Only Memory）を備えたものである。ＲＯＭ（Read Only Memory）は、記憶部１０４であってもよい。
【００５１】
１−３．駆動モータの駆動速度及び負荷との関係
次に、上述した構成を有する薬液投与装置１における駆動モータ１５の駆動速度及びトルクと負荷との関係について図５を参照して説明する。
図５は、駆動モータ１５の駆動速度及びトルクと負荷との関係を示す説明図である。
【００５２】
なお、駆動モータ１５に印加される電圧又は電流の値は一定である。そのため、図５に示すように、駆動モータ１５の駆動速度Ｖを上げると、トルクＭが小さくなり、駆動速度Ｖが下がると、トルクＭが大きくなる。
【００５３】
また、駆動モータ１５に加わる負荷が大きくなると、この負荷に合わせて駆動モータ１５のトルクＭを大きくする必要がある。そして、トルクＭを大きくするためには、駆動速度Ｖを下げる必要がある。
【００５４】
２．薬液投与装置のプライミング動作例
次に、上述した構成を有する薬液投与装置１における薬液投与準備動作、いわゆるプライミング動作の一例について図６から図９を参照して説明する。
【００５５】
２−１．薬液投与準備動作時に加わる負荷
まず、図６及び図７を参照して、薬液投与準備動作時に加わる負荷について説明する。
図６Ａは、連結ナット２２ｃと連結部１８ｃが連結する前の状態を示し、図６Ｂは、連結ナット２２ｃと連結部１８ｃが連結した状態を示す説明図である。図７は、駆動モータ１５に加わる負荷を示す説明図である。
【００５６】
薬液投与準備動作を行う前では、図６Ａに示すように、押し子操作部２２の連結ナット２２ｃは、押し子部材１８の連結部１８ｃから離反している。そのため、連結ナット２２ｃと連結部１８ｃの連結は、外されている。このとき、駆動モータ１５を駆動させて連結ナット２２ｃを移動させても、連結ナット２２ｃに加わる抗力（負荷）が小さいため、駆動モータ１５に加わる負荷も小さい。
【００５７】
そして、駆動モータ１５を回転駆動させて、連結ナット２２ｃを連結部１８ｃに接近させると、図６Ｂに示すように、連結ナット２２ｃが連結部１８ｃと連結する。この際、図７に示す斜線矢印のように、連結ナット２２ｃは、連結部１８ｃから移動方向と反対向きに負荷を受ける。連結ナット２２ｃに抗力が伝わることで、連結ナット２２ｃと螺合する送りねじ軸２２ｂには、連結ナット２２ｃを介して、回転方向と反対向きの負荷を受ける。そして、送りねじ軸２２ｂに接続された操作歯車２３にも、回転方向と反対向きの負荷が加わる。その結果、伝達機構１４を介して駆動モータ１５に加わる負荷が大きくなる。
【００５８】
また、薬液貯蔵部１３、送液ポート１３ａや送液配管１９内に残留する空気を除去する際には、押し子部材１８を押し子操作部２２で操作し、ガスケット１８ａを薬液貯蔵部１３の筒孔１３ｃ内を摺動させる。これにより、薬液貯蔵部１３の筒孔１３ｃ、送液ポート１３ａや送液配管１９内に残留する空気が送液配管１９から排出する。
【００５９】
ガスケット１８ａを、筒孔１３ｃ内で摺動させる際は、ガスケット１８ａは、作用・反作用の法則により薬液から押し出す向きと反対向きに抗力（負荷）を受ける。ガスケット１８ａに加わった負荷は、シャフト部１８ｂを介して押し子操作部２２の連結ナット２２ｃに伝わる。その結果、連結ナット２２ｃと連結部１８ｃが連結する際と同様に、送りねじ軸２２ｂ、操作歯車２３及び駆動モータ１５には、回転方向と反対向きの負荷が加わる。
【００６０】
２−２．薬液投与装置のプライミング動作
次に、図８〜図９を参照して本例の薬液投与装置１のプライミング動作について説明する。
図８は、プライミング動作を示すフローチャート、図９は、演算部が駆動モータに出力する駆動信号と回転検出部が検出した回転信号との関係を示す説明図である。
【００６１】
まず、図８に示すように、演算部１０１は、不図示のコントローラや外部の携帯情報端末等を介して使用者からプライミング開始ボタンが押下されたか否かを判断する（ステップＳ１１）。ステップＳ１１の処理において、演算部１０１は、プライミング開始ボタンが押下されたと判断した場合（ステップＳ１１のＹＥＳ判定）、プライミング動作を開始させる（ステップＳ１２）。ステップＳ１２の処理では、演算部１０１は、駆動モータ１５を制御し、駆動モータ１５を駆動させる。これにより、送りねじ軸２２ｂが回転し、連結ナット２２ｃが、連結部１８ｃに接近する。
【００６２】
そして、使用者は、送液配管１９の先端から薬液が排出されると、不図示のコントローラや外部の携帯情報端末等に設けられたプライミング停止ボタンを押下する。次に、演算部１０１は、不図示のコントローラや外部の携帯情報端末等を介して使用者からプライミング停止ボタンが押下されたか否かを判断する（ステップＳ１３）。すなわち、演算部１０１は、通信部１０３を介して停止指示を受信したか否かを判断する。
【００６３】
なお、使用者の誤操作により、送液配管１９から薬液が排出される前に、プライミング停止ボタンが押下される場合がある。そのため、ステップＳ１３の処理において、演算部１０１は、プライミング停止ボタンが押下されたと判断した場合（ステップＳ１３のＹＥＳ判定）、回転検出部２１から駆動モータ１５の回転情報に基づいて、負荷を検出したか否かを判断する（ステップＳ１４）。
【００６４】
上述したように、連結ナット２２ｃと連結部１８ｃが連結されると、伝達機構１４を介して駆動モータ１５に加わる負荷が大きくなる。図９に示すように、演算部１０１が出力した駆動信号の１パルス（Ｔ１秒）において回転検出部２１が検出する回転信号（回転検出部パルス）は、「明」と「暗」が６回繰り返された信号となる。
【００６５】
また、連結ナット２２ｃが連結部１８ｃに連結されることで、駆動モータ１５に加わる負荷が大きくなると、図９に示すように、演算部１０１が出力した駆動信号の１パルス（Ｔ１秒）において回転検出部２１が検出する回転信号（回転検出部パルス）の「明」と「暗」の繰り返しのパターンが変化する（図９に示す例では、「明」が２回、「暗」が４回）。そして、演算部１０１は、「明」と「暗」の繰り返しのパターンが変化した回転信号を受信した際に、負荷を検知したと判断し、連結ナット２２ｃと連結部１８ｃが連結されたと判断する。
【００６６】
ステップＳ１４の処理において、演算部１０１は、負荷を検出していないと判断した場合（ステップＳ１４のＮＯ判定）、連結ナット２２ｃと連結部１８ｃが連結していないと判断する。そして、演算部１０１は、通信部１０３を介して、不図示のコントローラや外部の携帯情報端末等にプライミング処理が未完了である旨を通知する（ステップＳ１５）。また、演算部１０１は、駆動モータ１５の制御し、駆動モータ１５の駆動を継続させる。
【００６７】
ステップＳ１４の処理において、演算部１０１は、負荷を検出したと判断した場合（ステップＳ１４のＹＥＳ判定）、連結ナット２２ｃと連結部１８ｃが連結したと判断する。そして、演算部１０１は、図９に示すように、駆動軸１５ａがＴ１秒よりも長いＴ２秒で１回転するように駆動モータ１５を制御する。これにより、駆動モータ１５の駆動速度が低下し、駆動モータ１５で生じるトルクが増加する。
【００６８】
なお、本例では、連結ナット２２ｃと連結部１８ｃが連結する前と後で、駆動モータ１５の駆動速度を変化させる例を説明したが、これに限定されるものではなく、常に一定の駆動速度で駆動モータ１５を駆動させてもよい。
【００６９】
また、演算部１０１は、プライミング動作の停止を許可する（ステップＳ１６）。ステップＳ１６の処理では、例えば、演算部１０１は、通信部１０３を介して、不図示のコントローラや外部の携帯情報端末等にプライミング動作の停止許可を通知する。そして、再びプライミング停止ボタンが押下されると、演算部１０１は、駆動モータ１５を制御し、駆動モータ１５の駆動を停止させる。これにより、薬液投与装置１の薬液投与準備動作であるプライミング動作が完了する。
【００７０】
上述したように、本例の薬液投与装置１によれば、連結ナット２２ｃと連結部１８ｃの連結を確認するまで、演算部１０１がプライミング動作を停止させない。これにより、連結ナット２２ｃと連結部１８ｃが連結されずに薬液の投与動作が開始されることを防ぐことができる。
【００７１】
以上、本発明の実施の形態例について、その作用効果も含めて説明した。しかしながら、本発明の薬液投与装置は、上述の実施形態に限定されるものではなく、特許請求の範囲に記載した発明の要旨を逸脱しない範囲内で種々の変形実施が可能である。
【００７２】
上述した実施の形態例では、薬液投与装置としてインスリンを投与するインスリンポンプを適用した例を説明したが、これに限定されるものではない。投与する薬液としては、鎮痛薬、抗癌治療薬、ＨＩＶ薬、鉄キレート薬、肺高血圧症治療薬等のその他各種の薬液を用いてもよい。
【００７３】
また、上述した実施の形態例では、連結検出センサとして回転検出部２１を用いて、連結ナット２２ｃと連結部１８ｃが連結したか否かを回転検出部２１の回転信号に基づいて演算部１０１が判断する例を説明したが、これに限定されるものではない。連結検出センサとしては、例えば、筐体１１の歪みを検出する歪みセンサを用いてもよい。連結ナット２２ｃと連結部１８ｃが連結する際には、連結ナット２２ｃ及び連結部１８ｃを収容する筐体１１が歪む。そして、演算部１０１は、歪みセンサが検出した筐体１１の歪みから連結ナット２２ｃと連結部１８ｃが連結したか否かを判断する。
【００７４】
また、連結検出センサとしては、機械式の押圧センサや光学センサ等のその他各種のセンサを用いてもよい。そして、押圧センサや光学センサによって連結ナット２２ｃや連結部１８ｃの位置や、連結ナット２２ｃと連結部１８ｃとの接触を検出し、この検出信号に基づいて、演算部１０１は、連結ナット２２ｃと連結部１８ｃが連結したか否かを判断するようにしてもよい。
【符号の説明】
【００７５】
１…薬液投与装置、  ２…薬液投与部、  ３…クレードル装置、  ５…装着部、  ６…接続ポート、  ６ａ…カニューレ、  １１…筐体、  １１ｃ…第１軸受け部、  １１ｄ…第２軸受け部、  １２…蓋体、  １３…薬液貯蔵部、  １４…伝達機構、  １５…駆動モータ（駆動部）、  １５ａ…駆動軸、  １６…報知部、  １７…電源部、  １８…押し子部材、  １８ａ…ガスケット、  １８ｂ…シャフト部、  １８ｃ…連結部、  １９…送液配管、  ２１…回転検出部（連結検出センサ）、  ２２…押し子操作部、  ２２ｂ…送りねじ軸、  ２２ｃ…連結ナット、  ２３…操作歯車、  ２５…検出センサ、  ２５ａ…発光部、  ２５ｂ…受光部、  ２６…回転体、  ２６ａ…回転体本体部、  ２６ｂ…遮蔽板、  ２６ｃ…スリット、  １０１…演算部（制御部）、  １０４…記憶部
【図１】
2020130222.tif 000003
【図２】
2020130222.tif 000004
【図３】
2020130222.tif 000005
【図４】
2020130222.tif 000006
【図５】
2020130222.tif 000007
【図６】
2020130222.tif 000008
【図７】
2020130222.tif 000009
【図８】
2020130222.tif 000010
【図９】
2020130222.tif 000011